(57)【要約】【課題】撮像された画像から顔のテカリ成分を軽減して、より好ましい画像を得る。【解決手段】デジタルカメラ（１）の画像処理部（７）は、取得した画像から所定の色領域を検出し、この検出した色領域の彩度及び明度に基づいて処理領域を指定すると共に、この指定した処理領域の画素に対して彩度及び明度を調整する機能を備える。これによれば、撮像された画像から顔のテカリ成分を軽減して、より好ましい画像を得るという効果が期待できる。【選択図】図１
2011044132.tif 000002
【特許請求の範囲】
【請求項１】
画像を取得する画像取得手段と、
前記画像取得手段により取得された画像から所定の色領域を検出する色領域検出手段と、
前記色領域検出手段により検出された前記色領域の彩度及び明度に基づいて処理領域を指定する処理領域指定手段と、
前記処理領域指定手段により指定された前記処理領域の画素の色相、彩度及び明度のうち少なくとも１つを調整する色調整手段と、
を備える画像処理装置。
【請求項２】
前記画像取得手段により取得された画像から人物の顔領域を検出する顔検出手段を備え、
前記色領域検出手段は、前記顔検出手段により検出された顔領域の画像から所定の色領域を検出することを特徴とする請求項１に記載の画像処理装置。
【請求項３】
前記色領域検出手段は、所定の前記色領域として、前記画像に含まれる人物の肌色に相当する肌色領域を検出し、
前記処理領域指定手段は、前記処理領域として、前記肌色領域において彩度が所定値以下で且つ明度が所定値以上である画素を指定すること、
を特徴とする請求項１又は２に記載の画像処理装置。
【請求項４】
前記色調整手段は、
前記顔検出手段により検出された前記人物の顔領域の画像に基づいて、前記人物の個人の肌色に関する肌色情報を取得する肌色情報取得手段を含み、この肌色情報取得手段によって取得された前記肌色情報に基づいて、前記処理領域の画素における、色相、彩度及び明度の各々を調整することを特徴とする請求項２に記載の画像処理装置。
【請求項５】
前記肌色情報取得手段は、
前記顔検出手段により検出された前記顔領域内に含まれる前記人物の特定の部位の位置を示す位置情報を取得する位置情報取得手段と、
前記位置情報取得手段によって取得した前記位置情報に基づいて、前記顔領域の中から当該人物の肌色情報を取得すべき領域を、肌色取得領域として設定する領域設定手段と、を含み、
前記領域設定手段によって設定した前記肌色取得領域の画像に基づいて、前記肌色情報を求めること、
を特徴とする請求項４に記載の画像処理装置。
【請求項６】
前記肌色情報取得手段は、
前記処理領域における各画素についての、色相、彩度、及び明度の各々の平均値からなる第１の平均値情報、及び、前記肌色取得領域における各画素についての、色相、彩度、及び明度の各々の平均値からなる第２の平均値情報を、前記肌色情報として取得し、
前記色調整手段は、
前記肌色情報取得手段が取得した前記第１の平均値情報と前記第２の平均値情報との差分値に基づいて前記処理領域の画素の色相、彩度及び明度のうち少なくとも１つを調整すること
を特徴とする請求項５に記載の画像処理装置。
【請求項７】
前記色調整手段は、色相、彩度、及び明度の各々について、前記第１の平均値情報と前記第２の平均値情報の差分値を求め、前記差分値に基づいて前記処理領域の画素の色相、彩度及び明度のうち少なくとも１つを調整すること、
を特徴とする請求項６に記載の画像処理装置。
【請求項８】
前記色調整手段は、
前記処理領域の画素に対して、彩度を上げ且つ明度を下げる調整を行うこと、
を特徴とする請求項２に記載の画像処理装置。
【請求項９】
前記処理領域における彩度及び明度の強度を算出する強度算出手段を備え、
前記色調整手段は、前記強度算出手段により算出された前記処理領域の彩度及び明度の強度に従って、前記処理領域の画素に対して彩度及び明度を調整すること、
を特徴とする請求項８に記載の画像処理装置。
【請求項１０】
前記処理領域指定手段は、前記画像取得手段により取得された画像が発光を伴って撮像された画像であるときに、前記処理領域を指定すること、
を特徴とする請求項１乃至９の何れか一項に記載の画像処理装置。
【請求項１１】
複数の撮影モードから１つの撮影モードを設定可能な設定手段と、
前記設定手段を介して設定された撮影モードに応じて前記画像取得手段における撮像条件を設定する撮影条件設定手段と、
を備え、前記処理領域指定手段は、前記設定手段により人物を撮影するための撮影モードが設定された場合に前記処理領域を指定すること、
を特徴とする請求項１乃至１０の何れか一項に記載の画像処理装置。
【請求項１２】
画像を取得する画像取得ステップと、
前記画像取得ステップにより取得された画像から所定の色領域を検出する色領域検出ステップと、
前記色領域検出ステップにより検出された前記色領域の彩度及び明度に基づいて処理領域を指定する処理領域指定ステップと、
前記処理領域指定ステップにより指定された前記処理領域の画素の色相、彩度及び明度のうち少なくとも１つを調整する色調整ステップと、
を備える画像処理方法。
【請求項１３】
画像を取得する画像取得手段を備えたコンピュータを、
前記画像取得手段により取得された画像から所定の色領域を検出する色領域検出手段、
前記色領域検出手段により検出された前記色領域の彩度及び明度に基づいて処理領域を指定する処理領域指定手段、
前記処理領域指定手段により指定された前記処理領域の画素の色相、彩度及び明度のうち少なくとも１つを調整する色調整手段、
として機能させるための画像処理プログラム。
【発明の詳細な説明】
【技術分野】
【０００１】
本発明は、画像処理装置、画像処理方法及び画像処理プログラムに関する。
【背景技術】
【０００２】
人物を撮影したデジタル画像の顔領域に対して、ハイライトする部分をより明るくする美白処理を行う技術が知られている（例えば、特許文献１参照）。
【０００３】
上記特許文献１に記載の画像処理方法では、処理対象の原画像からボケ画像を生成し、このボケ画像を利用してハイライトする部分をより明るくする美白処理を行っている。
【先行技術文献】
【特許文献】
【０００４】
【特許文献１】特開２００６−１２１４１６号公報
【発明の概要】
【発明が解決しようとする課題】
【０００５】
人物を撮影する場合、顔表面の脂成分等により、撮影時の室内の照明やフラッシュ発光等が人の顔に写り込み、撮影した画像に不自然な光沢が発生することがある。この不自然な光沢を「テカリ」と呼ぶ。上記特許文献１に記載の画像処理方法では、処理対象となる顔の画像にテカリ成分がある場合、美白処理によりそのテカリ成分の領域を拡大させてしまい、テカリを軽減させることができなかった。
【０００６】
本発明は、撮像された画像に含まれる顔のテカリ成分を軽減して、より好ましい画像に変換することができる画像処理装置、画像処理方法及び画像処理プログラムを提供することを目的とする。
【課題を解決するための手段】
【０００７】
請求項１に記載の発明に係わる画像処理装置は、画像を取得する画像取得手段と、前記画像取得手段により取得された画像から所定の色領域を検出する色領域検出手段と、前記色領域検出手段により検出された前記色領域の彩度及び明度に基づいて処理領域を指定する処理領域指定手段と、前記処理領域指定手段により指定された前記処理領域の画素の色相、彩度及び明度のうち少なくとも１つを調整する色調整手段と、を備える。
【０００８】
請求項２に記載の発明に係わる画像処理装置は、前記画像取得手段により取得された画像から人物の顔領域を検出する顔検出手段を備え、前記色領域検出手段は、前記顔検出手段により検出された顔領域の画像から所定の色領域を検出することを特徴とする。
【０００９】
請求項３に記載の発明に係わる画像処理装置は、前記色領域検出手段は、所定の前記色領域として、前記画像に含まれる人物の肌色に相当する肌色領域を検出し、前記処理領域指定手段は、前記処理領域として、前記肌色領域において彩度が所定値以下で且つ明度が所定値以上である画素を指定することを特徴とする。
【００１０】
請求項４に記載の発明に係わる画像処理装置は、前記色調整手段は、前記顔検出手段により検出された前記人物の顔領域の画像に基づいて、前記人物の個人の肌色に関する肌色情報を取得する肌色情報取得手段を含み、この肌色情報取得手段によって取得された前記肌色情報に基づいて、前記処理領域の画素における、色相、彩度及び明度の各々を調整することを特徴とする。
【００１１】
請求項５に記載の発明に係わる画像処理装置は、前記肌色情報取得手段は、前記顔検出手段により検出された前記顔領域内に含まれる前記人物の特定の部位の位置を示す位置情報を取得する位置情報取得手段と、前記位置情報取得手段によって取得した前記位置情報に基づいて、前記顔領域の中から当該人物の肌色情報を取得すべき領域を、肌色取得領域として設定する領域設定手段と、を含み、前記領域設定手段によって設定した前記肌色取得領域の画像に基づいて、前記肌色情報を求めることを特徴とする。
【００１２】
請求項６に記載の発明に係わる画像処理装置は、前記肌色情報取得手段は、前記処理領域における各画素についての、色相、彩度、及び明度の各々の平均値からなる第１の平均値情報、及び、前記肌色取得領域における各画素についての、色相、彩度、及び明度の各々の平均値からなる第２の平均値情報を、前記肌色情報として取得し、前記色調整手段は、前記肌色情報取得手段が取得した前記第１の平均値情報と前記第２の平均値情報との差分値に基づいて前記処理領域の画素の色相、彩度及び明度のうち少なくとも１つを調整することを特徴とする。
【００１３】
請求項７に記載の発明に係わる画像処理装置は、前記色調整手段は、色相、彩度、及び明度の各々について、前記第１の平均値情報と前記第２の平均値情報の差分値を求め、前記差分値に基づいて前記処理領域の画素の色相、彩度及び明度のうち少なくとも１つを調整することを特徴とする。
【００１４】
請求項８に記載の発明に係わる画像処理装置は、前記色調整手段は、前記処理領域の画素に対して、彩度を上げ且つ明度を下げる調整を行うことを特徴とする。
【００１５】
請求項９に記載の発明に係わる画像処理装置は、前記処理領域における彩度及び明度の強度を算出する強度算出手段を備え、前記色調整手段は、前記強度算出手段により算出された前記処理領域の彩度及び明度の強度に従って、前記処理領域の画素に対して彩度及び明度を調整すること、を特徴とする。
【００１６】
請求項１０に記載の発明に係わる画像処理装置は、前記処理領域指定手段は、前記画像取得手段により取得された画像が発光を伴って撮像された画像であるときに、前記処理領域を指定すること、を特徴とする。
【００１７】
請求項１１に記載の発明に係わる画像処理装置は、複数の撮影モードから１つの撮影モードを設定可能な設定手段と、前記設定手段を介して設定された撮影モードに応じて前記画像取得手段における撮像条件を設定する撮影条件設定手段と、を備え、前記処理領域指定手段は、前記設定手段により人物を撮影するための撮影モードが設定された場合に前記処理領域を指定すること、を特徴とする。
【００１８】
請求項１２に記載の発明に係わる画像処理方法は、画像を取得する画像取得ステップと、前記画像取得ステップにより取得された画像から所定の色領域を検出する色領域検出ステップと、前記色領域検出ステップにより検出された前記色領域の彩度及び明度に基づいて処理領域を指定する処理領域指定ステップと、前記処理領域指定ステップにより指定された前記処理領域の画素の色相、彩度及び明度のうち少なくとも１つを調整する色調整ステップと、を備える。
【００１９】
請求項１３に記載の発明に係わる画像処理プログラムは、画像を取得する画像取得手段を備えたコンピュータを、前記画像取得手段により取得された画像から所定の色領域を検出する色領域検出手段、前記色領域検出手段により検出された前記色領域の彩度及び明度に基づいて処理領域を指定する処理領域指定手段、前記処理領域指定手段により指定された前記処理領域の画素の色相、彩度及び明度のうち少なくとも１つを調整する色調整手段、として機能させる。
【発明の効果】
【００２０】
本発明によれば、撮像された画像から顔のテカリ成分を軽減してより好ましい画像を得ることができる。
【図面の簡単な説明】
【００２１】
【図１】本発明の一実施の形態に係わる画像処理装置として機能するデジタルカメラの回路構成を示すブロック図である。
【図２】ＲＧＢ色空間を説明するための模式図である。
【図３】ＨＳＶ色空間を説明するための模式図である。
【図４】図１のデジタルカメラによって撮像した画像データからテカリ成分を軽減することにより、テカリを抑制するテカリ抑制処理であって、第１実施形態にかかるテカリ抑制処理の手順を示すフローチャートである。
【図５】ＨＳＶ色空間において色相値Ｈが分布する円形領域の模式図である。
【図６】図３に示すＨＳＶ色空間の部分断面図である。
【図７】図１のデジタルカメラによって撮像した画像データからテカリ成分を軽減することにより、テカリを抑制するテカリ抑制処理であって、第２実施形態にかかるテカリ抑制処理の手順を示すフローチャートである。
【図８】図７の第２実施形態にかかるテカリ抑制処理における個人の肌色目標値の算出手法の一例を説明する図であって、このような肌色取得領域の各画素がプロットされたＨＳＶ空間部分上面図及び部分断面図を示している。
【図９】図７の第２実施形態にかかるテカリ抑制処理における個人の肌色目標値の算出手法の一例を説明する図であって、ＨＳＶ空間の部分上面図を示している。
【図１０】図１のデジタルカメラによって撮像した画像データからテカリ成分を軽減することにより、テカリを抑制するテカリ抑制処理であって、第３実施形態にかかるテカリ抑制処理の手順を示すフローチャートである。
【図１１】図１０の第３実施形態にかかるテカリ抑制処理のうち、テカリ抑制方式選択処理の手順の詳細を示すフローチャートである。
【発明を実施するための形態】
【００２２】
以下、本発明を実施するための形態について、図面に基づいて説明する。
【００２３】
［第１実施形態］
図１は、本発明の第１実施形態に係る画像処理装置として機能するデジタルカメラ１の回路構成を示す図である。
【００２４】
本実施の形態のデジタルカメラ１は、基本となる動作モードとして、静止画や動画を撮影するための記録モードと、撮影した画像を再生するための再生モードとを有している。なお、撮影モードは、通常モード、シーンモード、ムービーモード等を備える。このうち、シーンモードの下位モードとして、人物撮影モード、風景撮影モード、夜景撮影モード等が設定されている。人物撮影モードは、人物を撮影するのに適した撮影モードである。
【００２５】
デジタルカメラ１は、図１に示すように、撮影レンズ２と、撮像部３と、前処理部４と、処理情報記憶部５と、プログラムメモリ６と、画像処理部７と、制御部８と、画像記録部９と、表示部１０と、キー入力部１１と、発光部１２と、を備える。
【００２６】
撮影レンズ２は、入射した被写体の光を後述の撮像部３に光学像として結像するための光学レンズであり、フォーカスレンズ、ズームレンズ等で構成される。
【００２７】
撮像部３は、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサからなり、撮影レンズ２の光軸上に配置されている。撮像部３は、撮影レンズ２により収束された撮影光を受光すると共に、受光面に結像された被写体の光学像を光電変換し、アナログの撮像信号として出力する。撮影レンズ２及び撮像部３は、本発明における画像取得手段として機能する。
【００２８】
前処理部４は、撮像部３から出力された被写体の光学像に応じたアナログの撮像信号が入力され、入力した撮像信号を保持するＣＤＳ（相関二重サンプリング）、その撮像信号を増幅してその増幅された撮像信号をデジタルの画像データに変換するＡ／Ｄ変換器（ＡＤＣ）等を制御する。撮像部３が出力した撮像信号は、前処理部４を経て、デジタルの画像データとして画像記録部９に送られる。前処理部４の処理は、制御部８の命令に従い実行される。
【００２９】
処理情報記憶部５は、画像データを調整する際に使用するデータを処理情報として記憶する。処理情報記憶部５は、第１実施形態では少なくとも、白成分ゲインテーブル記憶部５ａと、テカリ成分ゲインテーブル記憶部５ｂと、を備える。
【００３０】
白成分ゲインテーブル記憶部５ａは、後述する肌色領域として指定された各画素について、白らしさを判定する際に使用する彩度ゲイン値をテーブルとして記憶する。テカリ成分ゲインテーブル記憶部５ｂは、同じく肌色領域として指定された各画素について、テカリ成分らしさを判定する際に使用する彩度ゲイン値及び明度ゲイン値をテーブルとして記憶する。
【００３１】
プログラムメモリ６は、画像処理部７、制御部８等で実行する各種処理に対応するプログラムを記憶する。
【００３２】
画像処理部７は、後述する画像処理に関する各種処理を行う。画像処理部７は、本発明における色領域検出手段、処理領域指定手段、色調整手段、顔検出手段、領域設定手段、撮影条件設定手段、強度算出手段の各手段として機能する。
【００３３】
また、画像処理部７は、撮影された画像におけるＲＧＢ色空間信号と、ＨＳＶ色空間信号とを相互に変換する処理を行う。ＲＧＢ色空間とは、赤（Ｒ）、緑（Ｇ）、青（Ｂ）の３つの成分からなる色空間をいう。また、ＨＳＶ色空間とは、色相（Ｈ：Ｈｕｅ）、彩度（Ｓ：Ｓａｔｕｒａｔｉｏｎ・Ｃｈｒｏｍａ）、明度（Ｖ：Ｂｒｉｇｈｔｎｅｓｓ・Ｌｉｇｈｔｎｅｓｓ・Ｖａｌｕｅ）の３つの成分からなるＨＳＶモデル（ＨＳＶ  ｍｏｄｅｌ）で表される色空間をいう。ＨＳＶ色空間については後述する。
【００３４】
図１に戻り、制御部８は、例えば、中央処理装置（ＣＰＵ）であり、プログラムメモリ６に記憶されたプログラムに従ってデジタルカメラ１全体を制御する。制御部８は、前処理部４、画像処理部７の各処理部も制御する。また、後述する撮影モード設定キー１１ｂの操作に応じて、撮影モードを設定し、設定した撮影モードに応じて撮像部による撮像の条件を設定する。制御部８は本発明における設定手段及び撮影条件設定手段である。
【００３５】
画像記録部９は、撮像部３により撮像され、前処理部４で前処理された画像データを記憶する。画像再生時には、制御部８は、画像記録部９から画像データを読み出して、表示部１０に表示させる。
【００３６】
表示部１０は、例えば、カラーＴＦＴ（Ｔｈｉｎ  Ｆｉｌｍ  Ｔｒａｎｓｉｓｔｏｒ）液晶や、ＳＴＮ（Ｓｕｐｅｒ  Ｔｗｉｓｔｅｄ  Ｎｅｍａｔｉｃ）液晶等であり、制御部８の制御に従ってプレビュー画像や、撮影後の画像データ、設定メニュー等を表示する。
【００３７】
キー入力部１１は、ユーザからの指示を入力する。キー入力部１１は、シャッターキー１１ａと、撮影モード設定キー１１ｂと、を含む。シャッターキー１１ａは、ユーザからの撮像開始の指示を入力する入力部である。撮影モード設定キー１１ｂは、ユーザから所望の動作モード設定の指示を入力する入力部である。
【００３８】
発光部１２は、被写体に対してフラッシュ光を照射する発光装置である。フラッシュ光を照射して撮影した人物の顔にはテカリ成分が発生しやすいため、本実施の形態では、フラッシュ光を伴って撮像された画像から、後述するテカリ除去の処理を実施するようにしている。
【００３９】
次に、ＲＧＢ色空間とＨＳＶ色空間について説明する。図２は、ＲＧＢ色空間を説明するための模式図であり、図３は、ＨＳＶ色空間を説明するための模式図である。
【００４０】
前処理部４により処理された画像データは、図２に示すように、赤（Ｒ）、緑（Ｇ）、青（Ｂ）の３つの成分からなる色空間で表現される。本実施の形態の画像処理部７は、画像データを、ＲＧＢ色空間からＨＳＶ色空間に色空間変換する機能を備える。
【００４１】
ＨＳＶ色空間は、図３に示すように、円錐Ｃを用いて表すことができる。円錐Ｃで表現されたＨＳＶ色空間は、色相Ｈを、円錐Ｃの底面とする円形領域に描いて表現する。色相Ｈは、赤、青、黄等の色の種類を表し、０°〜３５９°の範囲の強度分布で表現される。
【００４２】
彩度Ｓは、円錐Ｃの底面である円形領域の中心から円周方向への距離（半径）で表現される。彩度Ｓは、色の鮮やかさであり、円形領域の中央を０として、０〜２５５の範囲で表現される。ＨＳＶ色空間では、彩度Ｓの値が小さくなるにつれて灰色さが顕著になって、くすんだ色で彩度Ｓが表現される。
【００４３】
明度Ｖは、円錐Ｃの頂点から底面方向への距離で表される。明度Ｖは、色の明るさであり、頂点を０として、０〜２５５の範囲で表すことができる。ＨＳＶ色空間では、明度Ｖの値が小さくなるにつれて、暗い色で明度Ｖが表現される。
【００４４】
次に、第１実施形態のデジタルカメラ１において、撮像した画像データからテカリ成分を軽減することにより、テカリを抑制する処理（以下、「テカリ抑制処理」と呼ぶ）の手順を図４に示すフローチャートを参照して説明する。以下の処理は、図１に示す制御部８が各部を制御することにより実行される。また、本フローチャートの処理は、ユーザが撮影モード設定キー１１ｂを操作して何れかの撮影モードを設定した後、シャッターキー１１ａを操作して撮像の記録開始を指示したときにスタートする。
【００４５】
まず、ステップＳ１において、画像処理部７は、前処理部４により処理された画像データを画像記録部９から取得する。なお、画素サイズが大きい場合には処理に時間がかかるため、画像記録部９に保存された画像データを縮小して縮小画像データを生成し、この縮小画像データに対して以下の処理を施してもよい。
【００４６】
ステップＳ２において、画像処理部７は、取得した画像データが発光部１２によるフラッシュ光を伴って撮像された画像データかを判断する。ここでは、制御部８が、例えば発光部１２がフラッシュ光を照射したか否かに基づいて判断してもよいし、或いは画像データに付加された撮影情報を参照することにより、フラッシュ光を伴う撮像か否かを判断してもよい。ステップＳ２の判断がＹＥＳであれば、ステップＳ３へ進む。ステップＳ３において、画像処理部７は、画像データに対して顔検出処理を実施する。顔検出処理については、公知の技術であるので詳細は省略する。
【００４７】
ステップＳ４において、画像処理部７は、画像から顔領域が検出されたかを判断する。ステップＳ４の判断でＹＥＳであれば、ステップＳ５において、画像処理部７は、顔領域の画像データを、ＲＧＢ色空間からＨＳＶ色空間に色空間変換する。ステップＳ６において、画像処理部７は、ＨＳＶ色空間の画像から色相Ｈを取得し、人物の肌色に相当する肌色領域を指定する。
【００４８】
図５は、ＨＳＶ色空間において色相値Ｈが分布する円形領域の模式図である。人物の肌色に相当する肌色領域は、おおよそ色相値Ｈが図中の斜線で示された範囲に分布する画素の集まりとなる。画像処理部７は、ＨＳＶ色空間の画像から、この範囲内ある画素を肌色領域として指定する。
【００４９】
ステップＳ７において、画像処理部７は、肌色領域の中から、彩度Ｓが所定値以下であり、且つ明度Ｖが所定値以上である画素からなる領域を処理領域として指定する。処理領域は、肌色領域のうち、テカリ成分として特定される領域である。続いて、ステップＳ８において、画像処理部７は、処理領域におけるテカリ成分の強度を算出する。
【００５０】
ここでは、処理領域の各画素に対して、白らしさとテカリ成分らしさを判定する処理を行う。白らしさ判定では、白成分ゲインテーブル記憶部５ａに記憶されている彩度ゲイン値と、判定対象となる画素の彩度とを比較する。白成分は彩度が非常に低いため、画素の彩度と彩度ゲイン値とを比較することにより、その画素の白らしさの度合いを算出することができる。また、テカリ成分らしさ判定では、テカリ成分ゲインテーブル記憶部５ｂに記憶されている彩度ゲイン値及び明度ゲイン値と、判定対象となる画素の彩度及び明度の値とを比較する。テカリ成分は彩度が低く、明度は高いため、彩度ゲイン値及び明度ゲイン値と画素の彩度及び明度の値とを比較することにより、その画素のテカリ成分らしさの度合いを算出することができる。画像処理部７は、判定対象となる各画素について、白らしさとテカリ成分らしさの度合いから、テカリ成分としての強度（テカリ強度）を算出する。
【００５１】
ステップＳ９において、画像処理部７は、テカリ成分の強度に基づいて、処理領域の各画素に対して彩度Ｓ及び明度Ｖを調整する。図６は、図３に示すＨＳＶ色空間の部分断面図である。ステップＳ７で指定された処理領域を構成する画素の１つである画素Ａは、図６に示すように、彩度Ｓが低く、また明度Ｖが高い位置にある。そこで、ステップＳ９では、処理領域を構成する全ての画素に対してテカリ成分の強度に基づいて、彩度Ｓを高くし、また明度Ｖを低くすることで肌色に近づくように調整する。ここでは、明度Ｖを低くしただけでは灰色になるため、同時に彩度Ｓを高くすることにより、本来の肌色に近づけることができる。
【００５２】
上記のように彩度及び明度を調整することにより、図６に示す処理領域中の画素Ａは、図中実線で示す位置から破線で示す位置になるように調整される。この処理により、肌色領域におけるテカリ成分が軽減され、本来の肌色に近い画像に近づけることができる。
【００５３】
ステップＳ１０において、画像処理部７は、テカリ成分を軽減した処理領域を含む顔領域の画像データを、ＨＳＶ色空間からＲＧＢ色空間に色空間変換する。
【００５４】
このように、第１実施形態に係る図４のテカリ抑制処理のうち、ステップＳ５乃至Ｓ１０の一連の処理によって、彩度Ｓが高くなり、且つ明度Ｖが低くなるように処理領域が調整されて、処理領域におけるテカリ成分が軽減され、その結果テカリが抑制される。そこで、以下、ステップＳ５乃至Ｓ１０の一連の処理を、「彩度を高くし、明度を低くするテカリ抑制処理」と呼ぶ。
【００５５】
このようなＳ１０の「彩度を高くし、明度を低くするテカリ抑制処理」が終了すると、処理はステップＳ１１に進む。
ステップＳ１１において、画像処理部７は、処理した画像データを画像記録部９に記録する。
【００５６】
また、ステップＳ２又はステップＳ４の判定でＮＯであれば、ステップＳ１２へ進む。ステップＳ１２において、画像処理部７は、撮像した画像データをそのまま画像記録部９に記録（上書き）する。ステップＳ１１又はステップＳ１２の後、画像処理部７及び制御部８は、本フローチャートの処理を終了する。
【００５７】
第１実施形態のデジタルカメラ１によれば、以下のような効果を有する。
（１）撮像された画像データの中から人物の顔におけるテカリ成分である処理領域を指定し、この処理領域の彩度及び明度を調整するようにしたので、画像データに含まれるテカリ成分を軽減して、人物の顔画像領域をより好ましい画像に変換することができる。
（２）顔検出機能により画像データから顔領域を検出し、この顔領域から肌色領域を指定するようにしたので、処理の高速化を図ることができる。
（３）肌色領域において、彩度が処理値以下で且つ明度が所定値以上の画素をテカリ成分である処理領域として指定するようにしたので、テカリ成分の画素を効率よく判別することができる。
（４）撮像された画像データが、フラッシュ光を伴って撮像された場合にのみテカリ成分を軽減する、テカリ抑制処理を実行するようにしたので、テカリ成分の発生しやすい条件下で撮像された画像データに対して効率よくテカリ成分を軽減する、テカリ抑制処理を実行することができる。
（５）処理領域の彩度及び明度の強度を算出し、この彩度及び明度の強度に基づいて処理領域の各画素の彩度及び明度を調整するようにしたので、処理領域の各画素における彩度及び明度をより正確に調整することができる。
【００５８】
［第２実施形態］
第２実施形態では、さらに被写体となっている個人の肌色を考慮したテカリ抑制処理が実行される。
【００５９】
なお、図１のデジタルカメラ１は、第２実施形態に係る画像処理装置としても機能する。従って、その回路構成の説明については、第１実施形態と同様になるため、ここでは省略する。ただし、第２実施形態の処理情報記憶部５には、白成分ゲインテーブル記憶部５ａと、テカリ成分ゲインテーブル記憶部５ｂとは備えられておらず、後述する図７のテカリ抑制処理で使用する各種情報が記憶される。
【００６０】
次に、第２実施形態のデジタルカメラ１により実行されるテカリ抑制処理の手順について、図７に示すフローチャートを参照して説明する。
以下の処理は、図１に示す制御部８が各部を制御することにより実行される。また、本フローチャートの処理は、ユーザが撮影モード設定キー１１ｂを操作して何れかの撮影モードを設定した後、シャッターキー１１ａを操作して撮像の記録開始を指示したときにスタートする。
【００６１】
ステップＳ２１において、画像処理部７は、前処理部４により処理された画像データを画像記録部９から取得する。なお、画素サイズが大きい場合には処理に時間がかかるため、画像記録部９に保存された画像データを縮小して縮小画像データを生成し、この縮小画像データに対して以下の処理を施してもよい。
【００６２】
ステップＳ２２において、画像処理部７は、画像データに対して顔検出処理を実施することで、当該画像データにより表わされる画像から顔領域の検出を試みる。顔検出処理については、公知の技術であるので詳細は省略する。
【００６３】
ステップＳ２３において、画像処理部７は、画像から顔領域が検出されたか否かを判定する。
【００６４】
画像から顔領域が検出されなかった場合、ステップＳ２３においてＮＯであると判定されて、処理はステップＳ３３に進む。
ステップＳ３３において、画像処理部７は、撮像した画像データをそのまま画像記録部９に記録（上書き）する。これにより、本フローチャートの処理が終了する。
【００６５】
これに対して、画像から顔領域が検出された場合、ステップＳ２３においてＹＥＳであると判定されて、処理はステップＳ２４に進む。
【００６６】
ステップＳ２４において、画像処理部７は、ステップＳ２２の顔検出処理の結果に基づいて、顔領域内に含まれる顔に関する各種情報（以下、これらの情報をまとめて「顔情報」と呼ぶ）を取得する。
具体的には例えば、顔領域を囲む枠の座標や、当該顔領域内に含まれる被写体の眼の位置の座標（以下、「眼位置情報」と呼ぶ）等が、顔情報として取得される。
【００６７】
ステップＳ２５において、画像処理部７は、ステップＳ２４の処理で取得した顔情報に基づいて、当該顔情報により特定される被写体の個人の肌色に関する情報（以下、「肌情報等」と呼ぶ）を取得する。
具体的には例えば、画像処理部７は、顔情報のうち眼位置情報に基づいて、眼の周辺の所定領域を「肌色取得領域」として設定する。この「肌色取得領域」は、被写体となっている個人の肌情報を確実に取得できると判断される領域である。
なお、肌色取得領域となり得る領域は、一般的には、眼の下、鼻、又は頬などの周辺であり、確実に当該被写体の個人の肌が存在する領域となる。このため、肌色取得領域を算出するために、ここでは眼位置情報を用いている。しかしながら、肌色取得領域を算出するためには、眼位置情報に限らず、肌色取得領域を算出できる顔情報であれば、任意の情報を用いることが可能である。
画像処理部７は、当該肌色取得領域の画像データを、ＲＧＢ色空間からＨＳＶ色空間に色空間変換する。
そして、画像処理部７は、ＨＳＶ色空間上の肌色取得領域の画像データから、次の（ａ）乃至（ｃ）の情報を肌情報として取得する。
なお、以下の（ａ）及び（ｂ）の情報において、「その人物」とは、顔領域が検出された個人、即ち肌色取得領域に含まれる顔の部分を有する個人を示している。また、「（ＨＳＶ）」とは、色相Ｈ、彩度Ｓ、及び明度Ｖの各々の値から情報が構成されていることを示している。
（ａ）その人物の平均テカリ情報（ＨＳＶの値）（以下、「平均テカリ情報」と略記する）
（ｂ）その人物のテカリ抜きの平均肌情報（ＨＳＶの値）（以下、「平均肌情報」と略記する）
（ｃ）肌に対するテカリ割合
即ち、画像処理部７は、肌色取得領域を、テカリらしい部分と、それ以外の肌色部分とに区分する。そして、画像処理部７は、テカリらしい部分を構成する各画素についての、色相Ｈ、彩度Ｓ、及び明度Ｖの各々の平均値を、平均テカリ情報として算出する。一方、画像処理部７は、その人物の肌色部分を構成する各画素についての、色相Ｈ、彩度Ｓ、及び明度Ｖの各々の平均値を、平均肌情報として算出する。また、画像処理部７は、肌色取得領域におけるテカリらしい部分の空間占有率［％］を、肌に対するテカリ割合として算出する。
【００６８】
ステップＳ２６において、画像処理部７は、ステップＳ２５の処理で取得した肌情報に基づいて、肌色目標値を算出する。
ここで、「肌色目標値」とは、処理領域の各画素における、色相Ｈ、彩度Ｓ、及び明度Ｖの値（以下、これらの値をまとめて「ＨＳＶ値」と呼ぶ）を、被写体となっている個人の肌色に近付けるように調整（補正）する場合に用いられる目標値である。この目標値は、ＨＳＶ値として構成される。
例えば肌色目標値は、ステップＳ２５の処理で取得した平均テカリ情報と平均肌情報の差分を基に、テカリ割合に応じて算出される。
【００６９】
以上説明した各種情報、即ち、ステップＳ２４の処理で取得された顔情報、ステップＳ２５の処理で演算された肌情報（ここでは、平均テカリ情報、平均肌情報、及び肌に対するテカリ割合）、並びに、ステップＳ２６の処理で算出された肌色目標値は、処理情報記憶部５に記憶される。
【００７０】
次に、ステップＳ２７において、画像処理部７は、ステップＳ２２の処理で取得した顔領域の画像データを、ＲＧＢ色空間からＨＳＶ色空間に色空間変換する。
【００７１】
ステップＳ２８において、画像処理部７は、ＨＳＶ色空間の画像から色相Ｈを取得し、その色相Ｈに基づいて肌色領域を指定する。
【００７２】
ステップＳ２９において、画像処理部７は、ステップＳ２８で画像処理部７が指定した肌色領域の中から処理領域を指定する。
処理領域とは、第１実施形態に係るステップＳ７の説明において上述したように、肌色領域のうち、テカリ成分として特定される領域をいう。
従って、処理領域の指定手法は、テカリ成分を特定可能な手法であれば足りるが、第２実施形態では、第１実施形態と同様の手法、即ち、彩度Ｓが所定値以下であり、且つ明度Ｖが所定値以上である画素からなる領域が処理領域として指定される。
【００７３】
ステップＳ３０において、画像処理部７は、ステップＳ２６の処理で算出した肌色目標値に基づいて、ステップＳ２９の処理で指定した処理領域のＨＳＶ値の各々を補正する。
これにより、処理領域のテカリ成分は軽減され、撮像画像に被写体として含まれる個人の肌色に近づけることができる。
【００７４】
ステップＳ３１において、画像処理部７は、テカリ成分を軽減した処理領域を含む顔領域の画像データを、ＨＳＶ色空間からＲＧＢ色空間に色空間変換する。
【００７５】
このように、第２実施形態に係る図７のテカリ抑制処理のうち、ステップＳ２６乃至Ｓ３１の一連の処理によって、被写体となっている個人の肌色が考慮されて、処理領域のＨＳＶ値の各値が調整されて、処理領域におけるテカリ成分が軽減される。そこで、以下、ステップＳ２６乃至Ｓ３１の一連の処理を、「肌色考慮テカリ抑制処理」と呼ぶ。
【００７６】
このような肌色考慮テカリ抑制処理が終了すると、処理はステップＳ３２に進む。
ステップＳ３２において、画像処理部７は、処理した画像データを画像記録部９に記録する。これにより、本フローチャートの処理が終了する。
【００７７】
次に、図７のステップＳ２６の処理の具体例、即ち、肌色目標値の算出処理の具体例について、図８及び図９を適宜参照して説明する。
【００７８】
上述したように、直前のステップＳ２５において、顔領域のうち、被写体となっている個人の肌色を的確に確保できる領域が、肌色取得領域として算出される。そして、この肌色取得領域がテカリらしい部分と肌色部分とに区分され、テカリらしい部分から平均テカリ情報が算出されると共に、肌色部分から平均肌情報が算出される。
【００７９】
図８は、このような肌色取得領域の各画素がプロットされたＨＳＶ空間を示している。詳細には、図８（ａ）は、ＨＳＶ空間の部分上面図を示し、図８（ｂ）は、ＨＳＶ空間の部分断面図を示している。
図８（ａ）において、バツ印は、肌色取得領域のうちテカリらしい部分を構成する各画素を示している。これらの各画素についての、色相Ｈ、彩度Ｓ、及び明度Ｖの平均値が、平均テカリ情報５１として算出されている。
図８（ａ）において、白抜き丸印（符号５２が付された丸印は除く）は、肌色取得領域のうち肌色部分を構成する各画素を示している。これらの各画素についての、色相Ｈ、彩度Ｓ、及び明度Ｖの平均値が、平均肌情報５２として算出されている。
図８（ａ）及び図８（ｂ）に示すように、肌色目標値５３は、平均テカリ情報５１と平均肌情報５２とを結ぶ線分上の点（同図中黒丸印）の座標値、即ち、当該点における、色相Ｈ、彩度Ｓ、及び明度Ｖの各々の値として表わされる。
【００８０】
このような肌色目標値５３は、例えば次のようにして演算される。
先ず、画像処理部７は、平均肌情報５２の各ＨＳＶ値と、平均テカリ情報５１の各ＨＳＶ値との各々の差分を算出する。
【００８１】
次に、画像処理部７は、算出した各差分の絶対値が大きい場合には、肌色目標値５３を平均テカリ情報５１寄りに設定する必要がある。このような設定を行うためには、肌色目標値５３を平均テカリ情報５１にどの程度近づけるのかを示す指標が必要になる。このような指標のうち、平均テカリ情報５１を始点（０％）として、平均肌情報５２を終点（１００％）として、平均テカリ情報５１と平均肌情報５２とを結ぶ線分上の点の位置を、パーセント値で表示したものを、以下、「補正割合」と呼ぶ。即ち、補正割合とは、肌色目標値５３が平均テカリ情報５１の値にどの程度近いかを示す指標であり、パーセント値が小さくなるほど平均テカリ情報５１に近い値であることを示している。
図９は、補正割合を説明するためのＨＳＶ空間の部分上面図の例である。詳細には、図９（ａ）は、補正割合が１５％である場合の肌色目標値５３を示している。一方、図９（ｂ）は、補正割合が５０％である場合の肌色目標値５３を示している。図９（ａ）と図９（ｂ）とを比較するに、図９（ａ）の補正割合が１５％である場合の肌色目標値５３の方が、図９（ｂ）の補正割合が５０％である場合の肌色目標値５３よりも、平均テカリ情報５１に近づいていることがわかる。
【００８２】
ここで画像処理部７は、発光部１２によるフラッシュ光を伴って撮像されたか否か、及び平均肌情報と平均テカリ情報との差分など、諸条件に基づいて補正割合を設定する。
そして、画像処理部７は、平均テカリ情報、平均肌情報、及び設定した補正割合とから、肌色目標値５３を演算する。
【００８３】
以上、図７のステップＳ２６の処理の具体例、即ち、肌色目標値の算出処理の具体例について、図８及び図９を適宜参照して説明した。
次に、図７のステップＳ３０の処理によって、このような肌色目標値に近づけるように処理対象領域の個々の画素のＨＳＶ値が補正される。
【００８４】
以上、第２実施形態のデジタルカメラ１によれば、第１実施形態と同様の効果を有する他、さらに、被写体となっている個人の肌色を考慮した肌色考慮テカリ抑制処理（図７のステップＳ２６乃至Ｓ３１参照）が実行される。即ち、個人の肌色に基づく色が、肌色目標値として設定され、当該肌色目標値に近づくように、処理対象領域の個々の画素が適切に補正される。これにより、被写体の肌色に基づいてテカリ成分を軽減することができるので、自然に被写体のテカリを抑制することができる。
【００８５】
［第３実施形態］
第３実施形態に係るテカリ抑制処理では、第１実施形態に採用された「彩度を高くし、明度を低くするテカリ抑制処理」（図４のステップＳ５乃至Ｓ１０参照）と、第２実施形態に採用された個人の肌色を考慮したテカリ抑制処理（図７のステップＳ２６乃至Ｓ３１参照）とが選択的に実行される。
【００８６】
なお、図１のデジタルカメラ１は、第３実施形態に係る画像処理装置としても機能する。従って、その回路構成の説明については、第１実施形態と同様になるため、ここでは省略する。
【００８７】
そこで、以下、第３実施形態のデジタルカメラ１により実行されるテカリ抑制処理の手順について、図１０に示すフローチャートを参照して説明する。
以下の処理は、図１に示す制御部８が各部を制御することにより実行される。また、本フローチャートの処理は、ユーザが撮影モード設定キー１１ｂを操作して何れかの撮影モードを設定すると、スタートする。或いは、シャッターキー１１ａを半押する操作がなされると、スタートする。
【００８８】
ステップＳ４１において、制御部８は、スルー撮像及びスルー表示を実行する。
即ち、制御部８は、本フローチャートを開始させると、撮像部３による撮像動作を継続させ、所定時間間隔毎に撮像部３から前処理部４を介して順次出力される画像データを、処理情報記憶部５等の内蔵するメモリに一時的に記憶させる。この時点では、画像データの画像記録部９への記録は行われていないものとする。このような画像データにより表現される画像を、以下、「フレーム画像」と適宜称する。そして、このような一連の処理が、ここでは「スルー撮像」と呼ばれている。
制御部８は、スルー撮像時に処理情報記憶部５等に一時的に記憶された各フレーム画像の画像データを順次読み出して、それぞれに対応するフレーム画像を表示部１０に順次表示させる。このような一連の処理が、ここでは「スルー表示」と呼ばれている。このようなスルー表示により表示部１０に表示されるフレーム画像を、以下、「スルー画像」と称する。
なお、スルー撮像やスルー表示は、第１実施形態や第２実施形態のデジタルカメラ１においても、当然に実行されている。即ち、図４や図７に示すフローチャートは、上述の如く、シャッターキー１１ａが押下されて（全押しされて）撮像画像の記録の指示がなされた後の処理を示しているため、スルー撮像やスルー表示を行うステップの図示が省略されているに過ぎない。
【００８９】
ステップＳ４２において、画像処理部７は、スルー画像の画像データに対して顔検出処理を実施することで、当該スルー画像から顔領域の検出を試みる。顔検出処理については、公知の技術であるので詳細は省略する。
顔検出処理の結果が、処理情報記憶部５に記憶されると、処理はステップＳ４３に進む。
【００９０】
ステップＳ４３において、制御部８は、シャッターキー１１ａが押下されたか（全押しされたか）否かを判定する。
ユーザがシャッターキー１１ａを全押ししていない場合、ステップＳ４３においてＮＯであると判定され、処理はステップＳ４１に戻される。即ち、ユーザがシャッターキー１１ａを全押しするまでの間、ステップＳ４１乃至Ｓ４３のループ処理が繰り返されて、スルー画像が表示部１０に表示され続け、その間、スルー画像に対する顔検出処理が繰り返し実行される。
【００９１】
その後、ユーザがシャッターキー１１ａを全押しすると、ステップＳ４３においてＹＥＳであると判定され、撮像画像の記録が指示されたものとして、処理はステップＳ４５に進む。これ以降、前処理部４により処理されたフレーム画像の画像データは、画像記録部９に記録されるものとする。
【００９２】
ステップＳ４４において、画像処理部７は、前処理部４により処理されたフレーム画像の画像データを画像記録部９から取得する。なお、画素サイズが大きい場合には処理に時間がかかるため、画像記録部９に保存された画像データを縮小して縮小画像データを生成し、この縮小画像データに対して以下の処理を施してもよい。
【００９３】
ステップＳ４５において、画像処理部７は、ステップＳ４４の処理で取得したフレーム画像の画像データに対して顔検出処理を実施することで、当該フレーム画像から顔領域の検出を試みる。顔検出処理については、公知の技術であるので詳細は省略する。
【００９４】
ステップＳ４６において、画像処理部７は、フレーム画像から顔領域が検出されたか否かを判定する。
【００９５】
フレーム画像から顔領域が検出されなかった場合、ステップＳ４６においてＮＯであると判定されて、処理はステップＳ５４に進む。
ステップＳ５４において、画像処理部７は、撮像した画像データをそのまま画像記録部９に記録（上書き）する。これにより、本フローチャートの処理が終了する。
【００９６】
これに対して、フレーム画像から顔領域が検出された場合、ステップＳ４６においてＹＥＳであると判定されて、処理はステップＳ４７に進む。
【００９７】
ステップＳ４７において、画像処理部７は、ステップＳ４５の顔検出処理の結果に基づいて、顔情報を取得する。
具体的には例えば、顔領域を囲む枠の座標や、当該顔領域内に含まれる被写体の眼位置情報等が、顔情報として取得される。
【００９８】
ステップＳ４８において、画像処理部７は、ステップＳ４７の処理で取得した顔情報に基づいて、肌情報等を演算する。
【００９９】
具体的には例えば、画像処理部７は、第２実施形態に係る図７のステップＳ２５の処理と同様に、眼位置情報に基づいて、顔領域のうち、被写体となっている個人の肌情報を的確に取得できる領域を、肌色取得領域として算出する。
画像処理部７は、当該肌色確保領域の画像データを、ＲＧＢ色空間からＨＳＶ色空間に色空間変換する。
そして、画像処理部７は、ＨＳＶ色空間上の肌色確保領域の画像データから、次の（ａ）乃至（ｆ）の情報を肌情報等として演算する。
（ａ）平均テカリ情報
（ｂ）平均肌情報
（ｃ）肌に対するテカリ％
（ｄ）平均肌情報の信頼性度
（ｅ）画面全面に対するその人物の顔面積
なお、（ａ）乃至（ｃ）の情報は、第２実施形態に係る図７のステップＳ２５の処理でも同様に演算されるため、ここではその説明については省略する。よって、第２実施形態に係る図７のステップＳ２５の処理では演算されなかった（ｄ）及び（ｅ）の情報についてのみ、以下、簡単に説明する。
即ち、画像処理部７は、平均肌情報を算出した後、その平均肌情報の信頼性度を、パーセント表示で算出する。この場合の算出手法は特に限定されないが、例えば、一般的に肌色とされる色の平均的なＨＳＶ値と、被写体として含まれる個人の平均肌情報のＨＳＶ値とを比較する手法等を採用することができる。
また、画像処理部７は、例えば、フレーム画像（画面全面）における顔領域の空間占有率（パーセント表示）を、画面全面に対するその人物の顔面積として演算する。
【０１００】
さらに、第３実施形態では、画像処理部７は、ステップＳ４８の処理の一部として、次のような処理を実行する。
即ち、直前のステップＳ４７の処理では、顔情報の１つとして、顔領域を囲む枠の座標が取得されている。
そこで、画像処理部７は、このような顔領域を囲む枠の座標に基づいて、フレーム画像のうち、顔領域を囲む枠以外の領域を、背景領域として算出する。
画像処理部７は、当該背景領域の画像データを、ＲＧＢ色空間からＨＳＶ色空間に色空間変換する。
そして、画像処理部７は、ＨＳＶ色空間上の背景領域の画像データから、次の（ｆ）及び（ｇ）の情報を肌情報等としてさらに演算する。
なお、以下の（ｆ）及び（ｇ）の情報において、「背景」とは、背景領域に含まれる像を示している。また、「（ＨＳＶ）」とは、色相Ｈ、彩度Ｓ、及び明度Ｖの各々の値から情報が構成されていることを示している。
（ｆ）背景の平均テカリ情報（ＨＳＶ）（以下、「背景平均テカリ情報」と略記する）
（ｇ）背景の肌色に対する背景部テカリ％（以下、「背景部テカリ％」と略記する）
即ち、画像処理部７は、背景領域を、テカリらしい部分（テカリと同様のＨＳＶ特性を有する部分）と、それ以外の肌色部分とに区分する。そして、画像処理部７は、テカリらしい部分を構成する各画素についての、色相Ｈ、彩度Ｓ、及び明度Ｖの各々の平均値を、背景平均テカリ情報として算出する。また、画像処理部７は、背景領域におけるテカリらしい部分の空間占有率［％］を、背景部テカリ％として算出する。
【０１０１】
ステップＳ４９において、画像処理部７は、このようにしてステップＳ４８の処理で取得した肌情報等に基づいて、テカリを抑制するための補正処理の方式として、「彩度を高くし、明度を低くするテカリ抑制処理」（図４のステップＳ５乃至Ｓ１０参照）を実行する方式と、「個人の肌色を考慮したテカリ抑制処理」（図７のステップＳ２６乃至Ｓ３１参照）を実行する方式とのうちの何れか一方を選択する。
このようなステップＳ４９の処理を、以下、「テカリ抑制方式選択処理」と呼ぶ。テカリ抑制方式選択処理の詳細については、図１１を参照して後述する。
【０１０２】
ステップＳ５０において、画像処理部７は、ステップＳ４９のテカリ抑制方式選択処理で選択した方式は、個人の肌色を考慮したテカリ抑制処理を実行する方式であるか否かを判定する。
【０１０３】
ステップＳ４９のテカリ抑制方式選択処理で、「彩度を高くし、明度を低くするテカリ抑制処理」を実行する方式が選択された場合、ステップＳ５０においてＮＯであると判定されて、処理はステップＳ５１に進む。
ステップＳ５１において、画像処理部７は、「彩度を高くし、明度を低くするテカリ抑制処理」（図４のステップＳ５乃至Ｓ１０参照）を実行する。
【０１０４】
これに対して、ステップＳ４９のテカリ抑制方式選択処理で、「個人の肌色を考慮したテカリ抑制処理」を実行する方式が選択された場合、ステップＳ５０においてＹＥＳであると判定されて、処理はステップＳ５２に進む。
ステップＳ５２において、画像処理部７は、「個人の肌色を考慮したテカリ抑制処理」（図７のステップＳ２６乃至Ｓ３１参照）を実行する。
【０１０５】
このようにして、ステップＳ４４の処理で取得された画像データに対して、ステップＳ５１の「彩度を高くし、明度を低くするテカリ抑制処理」が施されるか、又は、ステップＳ５２の「個人の肌色を考慮したテカリ抑制処理」が施されると、処理はステップＳ５３に進む。
ステップＳ５３において、画像処理部７は、ステップＳ５１又はＳ５２において処理した画像データを画像記録部９に記録する。これにより、本フローチャートの処理が終了する。
【０１０６】
次に、図１０のステップＳ４９のテカリ抑制方式選択処理の手順の詳細について、図１１に示すフローチャートを参照して説明する。
【０１０７】
ステップＳ６１において、画像処理部７は、図１０のステップＳ４５の顔検出処理において検出された顔の人数の信頼性（以下、「顔検出人数の信頼性」、又は単に「信頼性」と呼ぶ）を判定する。
信頼性の判定手法は、特に限定されないが、例えば本実施形態では、次のような手法が採用されている。
即ち、図１０のステップＳ４４の処理で取得されたフレーム画像の画像データが、発光部１２によるフラッシュ光を伴って撮像された画像データである場合には、信頼性は「１」であると判定される。
また、ステップＳ４４の処理で取得されたフレーム画像の画像データが、発光部１２によるフラッシュ光を伴わずに撮像された画像データであり、ステップＳ４５の顔検出処理で当該フレーム画像から顔が検出された人数と、ステップＳ４２の顔検出処理でスルー画像から顔が検出された人数とが一致する場合には、信頼性は「１」であると判定される。
一方、ステップＳ４４の処理で取得されたフレーム画像の画像データが、発光部１２によるフラッシュ光を伴わずに撮像された画像データであり、ステップＳ４５の顔検出処理で当該フレーム画像から顔が検出された人数と、ステップＳ４２の顔検出処理でスルー画像から顔が検出された人数とが一致しない場合には、信頼性は「０」であると判定される。
【０１０８】
ステップＳ６２において、画像処理部７は、テカリ抑制処理の効果を弱める彩度Ｓの境界値（以下、「境界値Ｓ」と適宜呼ぶ）を設定する。
つまり、第３実施形態の他、第１実施形態や第２実施形態も含めて、テカリ抑制処理では、境界値Ｓが予め設定されており、このようなＳ値を、以下、「初期境界値」と呼ぶ。例えば、初期境界値は、一般的には、蛍光灯などの白い領域とそれ以外の領域との境界となる彩度Ｓの値が設定される。即ち、初期境界値を用いたテカリ抑制処理では、蛍光灯などの白い領域に対してのみ、テカリ抑制処理の効果の度合が下げられる。
しかしながら、肌色確保領域における平均テカリ情報の彩度Ｓの値（以下、「肌テカリ平均Ｓ値」と呼ぶ）が、背景平均テカリ情報の彩度Ｓの値（以下、「背景テカリ平均Ｓ値」と呼ぶ）を上回っている。
このように、肌テカリ平均Ｓ値が背景テカリ平均Ｓ値を上回っている状態では、肌色確保領域のうちテカリらしい部分である領域に対してのみに、テカリ抑制処理が施されればよい。
そこで、このような状態では、画像処理部７は、肌テカリ平均Ｓ値￥と背景テカリ平均Ｓ値１１２との間の値を、境界値Ｓとして設定する。これにより、背景領域に対しても、テカリ抑制処理の効果の度合を下げることが可能になる。
【０１０９】
ステップＳ６３において、画像処理部７は、ステップＳ６１の処理で判定した信頼性が「１」であるか否かを判定する。
信頼性が「０」である場合、ステップＳ６３においてＮＯであると判定されて、処理はステップＳ６９に進む。ステップＳ６９において、画像処理部７は、テカリ抑制方式として、「彩度を高くし、明度を低くするテカリ抑制処理」（図４のステップＳ５乃至Ｓ１０参照）を実行する方式を選択する。
これに対して、信頼性が「１」である場合、この段階でテカリ抑制方式を選定することは未だ不十分であるとして、ステップＳ６３においてＹＥＳであると判定されて、処理はステップＳ６４に進む。
【０１１０】
ステップＳ６４において、画像処理部７は、被写体が１人であるか否かを判定する。
図１０のステップＳ４４の処理で取得されたフレーム画像の画像データに対して、ステップＳ４５の顔検出処理が施された結果として、複数人の顔が検出された場合、即ち、被写体が複数人の場合、ステップＳ６４においてＮＯであると判定されて、処理はステップＳ６９に進む。ステップＳ６９において、画像処理部７は、テカリ抑制方式として、「彩度を高くし、明度を低くするテカリ抑制処理」を実行する方式を選択する。
これに対して、ステップＳ４４の処理で取得されたフレーム画像の画像データに対して、ステップＳ４５の顔検出処理が施された結果として、１人の顔が検出された場合、即ち、被写体が１人の場合、この段階でテカリ抑制方式を選定することは未だ不十分であるとして、ステップＳ６４においてＹＥＳであると判定されて、処理はステップＳ６５に進む。
なお、第３実施形態の個人肌色情報考慮テカリ抑制処理は、１人の被写体の個人の肌色のみを考慮することを前提としているため、ステップＳ６４の処理が設けられている。即ち、複数人の被写体の各々の個人の肌色を考慮可能な個人肌色情報考慮テカリ抑制処理が採用されている場合には、ステップＳ６４の処理は省略可能である。
【０１１１】
ステップＳ６５において、画像処理部７は、平均肌情報の信頼性度（図１０のステップＳ４８の処理で取得される（ｄ）の情報）が一定以下であるか否かを判定する。
平均肌情報の信頼性度が一定以下の場合、ステップＳ６５においてＹＥＳであると判定されて、処理はステップＳ６９に進む。ステップＳ６９において、画像処理部７は、テカリ抑制方式として、「彩度を高くし、明度を低くするテカリ抑制処理」を実行する方式を選択する。
これに対して、平均肌情報の信頼性度が一定の値を超えている場合、この段階でテカリ抑制方式を選定することは未だ不十分であるとして、ステップＳ６５においてＮＯであると判定されて、処理はステップＳ６６に進む。
【０１１２】
ステップＳ６６において、画像処理部７は、画面全面に対するその人物の顔面積（図１０のステップＳ４８の処理で取得される（ｅ）の情報）が一定以上であるか否かを判定する。
顔面積が一定以上の場合、ステップＳ６６においてＹＥＳであると判定されて、処理はステップＳ７０に進む。ステップＳ７０において、画像処理部７は、テカリ抑制方式として、「個人の肌色を考慮したテカリ抑制処理」（図７のステップＳ２６乃至Ｓ３１参照）を実行する方式を選択する。
これに対して、顔面積が一定未満の場合、この段階でテカリ抑制方式を選定することは未だ不十分であるとして、ステップＳ６６においてＮＯであると判定されて、処理はステップＳ６７に進む。
【０１１３】
ステップＳ６７において、画像処理部７は、平均肌情報の彩度Ｓの値（図１０のステップＳ４８の処理で取得される（ｂ）の情報であり、以下、「平均肌情報のＳ値」と呼ぶ）が一定範囲内であるか否かを判定する。
平均肌情報のＳ値が一定範囲内の値である場合、ステップＳ６７においてＹＥＳであると判定されて、処理はステップＳ７０に進む。ステップＳ７０において、画像処理部７は、テカリ抑制方式として、「個人の肌色を考慮したテカリ抑制処理」を実行する方式を選択する。
これに対して、平均肌情報のＳ値が一定範囲から外れた値である場合、この段階でテカリ抑制方式を選定することは未だ不十分であるとして、ステップＳ６７においてＮＯであると判定されて、処理はステップＳ６８に進む。
【０１１４】
ステップＳ６８において、画像処理部７は、背景部テカリ％（図１０のステップＳ４８の処理で取得される（ｇ）の情報）が一定以下であるか否かを判定する。
背景部テカリ％が一定以下の場合、ステップＳ６８においてＹＥＳであると判定されて、処理はステップＳ７０に進む。ステップＳ７０において、画像処理部７は、テカリ抑制方式として、「個人の肌色を考慮したテカリ抑制処理」を実行する方式を選択する。
これに対して、背景部テカリ％が一定の値を超えている場合、ステップＳ６８においてＮＯであると判定されて、処理はステップＳ６９に進む。ステップＳ６９において、画像処理部７は、テカリ抑制方式として、「彩度を高くし、明度を低くするテカリ抑制処理」を実行する方式を選択する。
【０１１５】
このようにして、ステップＳ６９又はＳ７０の処理でテカリ抑制方式が選択されると、テカリ抑制方式選択処理は終了する。
即ち、図１０のステップＳ４９の処理が終了し、処理はステップＳ５０に進む。
図１１のステップＳ６９の処理で「彩度を高くし、明度を低くするテカリ抑制処理」を実行する方式が選択された場合、ステップＳ５０においてＮＯであると判定されて、ステップＳ５１の処理で、「彩度を高くし、明度を低くするテカリ抑制処理」が実行される。
これに対して、図１１のステップＳ７０の処理で「個人の肌色を考慮したテカリ抑制処理」を実行する方式が選択された場合、ステップＳ５０においてＹＥＳであると判定されて、ステップＳ５２の処理で、「個人の肌色を考慮したテカリ抑制処理」が実行される。
【０１１６】
第３実施形態のデジタルカメラ１によれば、第１実施形態と同様に、上述した（１）乃至（５）の効果を有し、且つ、第２実施形態と同様に、上述した（６）乃至（８）の効果を有する他、さらに、次の（９）の効果を有する。
【０１１７】
（９）第２実施形態に係る「個人の肌色を考慮したテカリ抑制処理」（図７のステップＳ２６乃至Ｓ３１参照）を実行することで、上述の（６）の効果を奏することが可能である。即ち、第１実施形態に係る「彩度を高くし、明度を低くするテカリ抑制処理」（図４のステップＳ５乃至Ｓ１０参照）では赤味が増してしまうという課題が生ずる。上述の（６）の効果とは、当該課題を解決できるという効果である。
しかしながら、被写体となっている個人の肌に関する情報が適切に得られない場合等、「個人の肌色を考慮したテカリ抑制処理」を実行しても、当該課題を解決できないばかりか、好ましくない処理結果が得られてしまう場合もあり得る。或いはまた、そもそも、必要な情報が足りずに、「個人の肌色を考慮したテカリ抑制処理」の実行自体が不可能になる場合もあり得る。
このような場合であっても、第３実施形態では、「個人の肌色を考慮したテカリ抑制処理」の代わりに、「彩度を高くし、明度を低くするテカリ抑制処理」を実行することができるので、一定以上のテカリ抑制の効果を得ることが可能になる。
【０１１８】
以上、本発明の実施の形態として第１実施形態及び第２実施形態について説明したが、本発明は上記実施の形態に限定されるものではない。即ち、以下に示すような、本発明の目的を達成できる範囲での変形、改良等は本発明に含まれるものである。
（１）撮影モード設定キー１１ｂにより人物撮影モードが設定されたときは、撮像した画像データからテカリ成分を軽減するテカリ抑制処理を実行するようにしてもよい。人物撮影モードでは、人物の顔が撮影される可能性が高く、またフラッシュ光が自動発光する場合もあり、撮影された人物の顔にテカリ成分が発生している確率が高い。従って、人物撮影モードが設定されたときには、フラッシュ発光の有無に係わらず、撮像された画像データに対してテカリ成分を軽減するテカリ抑制処理を実行することにより、テカリ成分の軽減された、より好ましい画像を得ることができる。
（２）顔検出処理により検出された顔領域から、テカリ成分の発生しやすい人物の額、頬、鼻に相当する部分を抽出し、当該部分から処理領域を指定するようにしてもよい。これによれば、テカリ成分の発生しやすい部分を抽出することにより、処理領域をより正確に指定することが可能となる。
（３）肌色領域や処理領域を、ユーザが表示部１０に表示された画像を見ながら、不図示の操作入力部材を介して指定するようにしてもよい。この場合、肌色領域については、図２に示すＨＳＶ色空間の模式図を表示部１０にカラー表示することにより、ユーザに色相Ｈの分布を視覚的に判別させることが出来る。
（４）上述した画像処理部７の機能の一部又は全てについて、制御部８を本発明に係わる画像処理プログラムに従って動作させることにより実現するようにしてもよい。
（５）上述した実施の形態では、撮影レンズ２及び撮像部３を本発明の画像取得手段とする例について示したが、他のデジタルカメラ等で撮像された画像をデジタルカメラ１に取り込むように構成されていてもよい。その場合は、画像データの記録された記録媒体が着脱自在に装填されるカードスロット部や、有線又は無線により画像データを取り込むためのケーブル又はトランスミッター部との接続端子が画像取得手段として機能することになる。
（６）また、上述した実施の形態では、肌色領域の中から処理領域を検出するようにしたが、他の色領域であってもよい。その場合は、所望の色相値Ｈの範囲を指定し、その指定された色相値Ｈの範囲内において、彩度Ｓが所定値以下であり、且つ明度Ｖが所定値以上である画素からなる領域を処理領域として指定する。
（７）なお、第２実施形態においては、画像処理部７は肌色取得領域の平均テカリ情報と平均肌情報とから、肌色目標値を設定したが、平均肌情報のみを考慮して肌色目標値を設定するようにしてもよい。
（８）さらにまた、本発明は、ＨＳＶ空間に特に限定されず、その他、ＹＵＶ空間やＲＧＢ空間等の各種色相空間に広く適用することが可能である。
（９）本発明は、デジタルカメラに限らず、例えば、カメラ付き携帯電話機等の静止画撮影機能を備えた電子機器全般に適用することができる。また、本発明は、画像の色処理機能を備えた任意の画像処理装置にも適用することができる。さらに、本発明に係わる画像処理装置には、所定のプログラムに基づいて動作することにより、本実施の形態の画像処理部７の機能を実現可能なコンピュータ装置も含まれる。
【符号の説明】
【０１１９】
１  デジタルカメラ
２  撮影レンズ
３  撮像部
４  前処理部
５  処理情報記憶部
６  プログラムメモリ
７  画像処理部
８  制御部
９  画像記録部
１０  表示部
１１  キー入力部
１１ａ  シャッターキー
１１ｂ  撮影モード設定キー
１２  発光部
【図１】
2011044132.tif 000003
【図２】
2011044132.tif 000004
【図３】
2011044132.tif 000005
【図４】
2011044132.tif 000006
【図５】
2011044132.tif 000007
【図６】
2011044132.tif 000008
【図７】
2011044132.tif 000009
【図８】
2011044132.tif 000010
【図９】
2011044132.tif 000011
【図１０】
2011044132.tif 000012
【図１１】
2011044132.tif 000013
【手続補正書】
【提出日】平成22年11月9日(2010.11.9)
【手続補正１】
【補正対象書類名】特許請求の範囲
【補正対象項目名】全文
【補正方法】変更
【補正の内容】
【特許請求の範囲】
【請求項１】
画像を取得する画像取得手段と、
前記画像取得手段により取得された画像から所定の色領域を検出する色領域検出手段と、
前記色領域検出手段により検出された前記色領域の彩度及び明度に基づいて調整すべき領域を指定する領域指定手段と、
前記領域指定手段により指定された前記調整すべき領域の画素の色相、彩度及び明度のうち少なくとも１つを調整する色調整手段と、
を備える画像処理装置。
【請求項２】
前記画像取得手段により取得された画像から人物の顔領域を検出する顔検出手段を備え、
前記色領域検出手段は、前記顔検出手段により検出された顔領域の画像から所定の色領域を検出することを特徴とする請求項１に記載の画像処理装置。
【請求項３】
前記色領域検出手段は、所定の前記色領域として、前記画像に含まれる人物の肌色に相当する肌色領域を検出し、
前記領域指定手段は、前記調整すべき領域として、前記肌色領域において彩度が所定値以下で且つ明度が所定値以上である画素を指定すること、
を特徴とする請求項１又は２に記載の画像処理装置。
【請求項４】
前記色調整手段は、
前記画像に含まれる人物の個人の肌色に関する肌色情報を取得する肌色情報取得手段を含み、この肌色情報取得手段によって取得された前記肌色情報に基づいて、前記調整すべき領域の画素における、色相、彩度及び明度の各々を調整することを特徴とする請求項２に記載の画像処理装置。
【請求項５】
前記肌色情報取得手段は、
前記顔検出手段により検出された前記顔領域内に含まれる前記人物の特定の部位の位置を示す位置情報を取得する位置情報取得手段と、
前記位置情報取得手段によって取得した前記位置情報に基づいて、前記顔領域の中から当該人物の肌色情報を取得すべき領域を、肌色取得領域として設定する設定手段と、を含み、
前記設定手段によって設定した前記肌色取得領域の画像に基づいて、前記肌色情報を求めること、
を特徴とする請求項４に記載の画像処理装置。
【請求項６】
前記肌色情報取得手段は、
前記調整すべき領域における各画素についての、色相、彩度、及び明度の各々の平均値からなる第１の平均値情報、及び、前記肌色取得領域における各画素についての、色相、彩度、及び明度の各々の平均値からなる第２の平均値情報を、前記肌色情報として取得し、
前記色調整手段は、
前記肌色情報取得手段が取得した前記第１の平均値情報と前記第２の平均値情報との差分値に基づいて前記調整すべき領域の画素の色相、彩度及び明度のうち少なくとも１つを調整すること、
を特徴とする請求項５に記載の画像処理装置。
【請求項７】
前記色調整手段は、色相、彩度、及び明度の各々について、前記第１の平均値情報と前記第２の平均値情報の差分値を求め、前記差分値に基づいて前記調整すべき領域の画素の色相、彩度及び明度のうち少なくとも１つを求めること、
を特徴とする請求項６に記載の画像処理装置。
【請求項８】
前記色調整手段は、
前記調整すべき領域の画素に対して、彩度を上げ且つ明度を下げる調整を行うこと、
を特徴とする請求項２に記載の画像処理装置。
【請求項９】
前記調整すべき領域における彩度及び明度の強度を算出する強度算出手段を備え、
前記色調整手段は、前記強度算出手段により算出された前記調整すべき領域の彩度及び明度の強度に従って、前記調整すべき領域の画素に対して彩度及び明度を調整すること、
を特徴とする請求項８に記載の画像処理装置。
【請求項１０】
前記領域指定手段は、前記画像取得手段により取得された画像が発光を伴って撮像された画像であるときに、前記調整すべき領域を指定すること、
を特徴とする請求項１乃至９の何れか一項に記載の画像処理装置。
【請求項１１】
複数の撮影モードから１つの撮影モードを設定可能な設定手段と、
前記設定手段を介して設定された撮影モードに応じて前記画像取得手段における撮像条件を設定する撮影条件設定手段と、
を備え、前記領域指定手段は、前記設定手段により人物を撮影するための撮影モードが設定された場合に前記調整すべき領域を指定すること、
を特徴とする請求項１乃至１０の何れか一項に記載の画像処理装置。
【請求項１２】
画像を取得する画像取得ステップと、
前記画像取得ステップにより取得された画像から所定の色領域を検出する色領域検出ステップと、
前記色領域検出ステップにより検出された前記色領域の彩度及び明度に基づいて調整すべき領域を指定する領域指定ステップと、
前記領域指定ステップにより指定された前記調整すべき領域の画素の色相、彩度及び明度のうち少なくとも１つを調整する色調整ステップと、
を備える画像処理方法。
【請求項１３】
画像を取得する画像取得手段を備えたコンピュータを、
前記画像取得手段により取得された画像から所定の色領域を検出する色領域検出手段、
前記色領域検出手段により検出された前記色領域の彩度及び明度に基づいて調製すべき領域を指定する領域指定手段、
前記領域指定手段により指定された前記調整すべき領域の画素の色相、彩度及び明度のうち少なくとも１つを調整する色調整手段、
として機能させるための画像処理プログラム。
【手続補正２】
【補正対象書類名】明細書
【補正対象項目名】０００７
【補正方法】変更
【補正の内容】
【０００７】
請求項１記載の発明に関わる画像処理装置は、画像を取得する画像取得手段と、前記画像取得手段により取得された画像から所定の色領域を検出する色領域検出手段と、前記色領域検出手段により検出された前記色領域の彩度及び明度に基づいて調整すべき領域を指定する領域指定手段と、前記領域指定手段により指定された前記調整すべき領域の画素の色相、彩度及び明度のうち少なくとも１つを調整する色調整手段と、を備える。
【手続補正３】
【補正対象書類名】明細書
【補正対象項目名】０００９
【補正方法】変更
【補正の内容】
【０００９】
請求項３記載の発明に関わる画像処理装置は、前記色領域検出手段は、所定の前記色領域として、前記画像に含まれる人物の肌色に相当する肌色領域を検出し、前記領域指定手段は、前記調整すべき領域として、前記肌色領域において彩度が所定値以下で且つ明度が所定値以上である画素を指定することを特徴とする。
【手続補正４】
【補正対象書類名】明細書
【補正対象項目名】００１０
【補正方法】変更
【補正の内容】
【００１０】
請求項４記載の発明に関わる画像処理装置は、前記色調整手段は、前記画像に含まれる人物の個人の肌色に関する肌色情報を取得する肌色情報取得手段を含み、この肌色情報取得手段によって取得された前記肌色情報に基づいて、前記調整すべき領域の画素における、色相、彩度及び明度の各々を調整することを特徴とする。
【手続補正５】
【補正対象書類名】明細書
【補正対象項目名】００１２
【補正方法】変更
【補正の内容】
【００１２】
請求項６記載の発明に関わる画像処理装置は、前記肌色情報取得手段は、前記調整すべき領域における各画素についての、色相、彩度、及び明度の各々の平均値からなる第１の平均値情報、及び、前記肌色取得領域における各画素についての、色相、彩度、及び明度の各々の平均値からなる第２の平均値情報を、前記肌色情報として取得し、前記色調整手段は、前記肌色情報取得手段が取得した前記第１の平均値情報と前記第２の平均値情報との差分値に基づいて前記調整すべき領域の画素の色相、彩度及び明度のうち少なくとも１つを調整することを特徴とする。
【手続補正６】
【補正対象書類名】明細書
【補正対象項目名】００１３
【補正方法】変更
【補正の内容】
【００１３】
請求項７記載の発明に関わる画像処理装置は、前記色調整手段は、色相、彩度、及び明度の各々について、前記第１の平均値情報と前記第２の平均値情報の差分値を求め、前記差分値に基づいて前記調整すべき領域の画素の色相、彩度及び明度のうち少なくとも１つを求めることを特徴とする。
【手続補正７】
【補正対象書類名】明細書
【補正対象項目名】００１４
【補正方法】変更
【補正の内容】
【００１４】
請求項８記載の発明に関わる画像処理装置は、前記色調整手段は、前記調整すべき領域の画素に対して、彩度を上げ且つ明度を下げる調整を行うことを特徴とする。
【手続補正８】
【補正対象書類名】明細書
【補正対象項目名】００１５
【補正方法】変更
【補正の内容】
【００１５】
請求項９記載の発明に関わる画像処理装置は、前記調整すべき領域における彩度及び明度の強度を算出する強度算出手段を備え、前記色調整手段は、前記強度算出手段により算出された前記調整すべき領域の彩度及び明度の強度に従って、前記調整すべき領域の画素に対して彩度及び明度を調整することを特徴とする。
【手続補正９】
【補正対象書類名】明細書
【補正対象項目名】００１６
【補正方法】変更
【補正の内容】
【００１６】
請求項１０記載の発明に関わる画像処理装置は、前記領域指定手段は、前記画像取得手段により取得された画像が発光を伴って撮像された画像であるときに、前記調整すべき領域を指定することを特徴とする。
【手続補正１０】
【補正対象書類名】明細書
【補正対象項目名】００１７
【補正方法】変更
【補正の内容】
【００１７】
請求項１１記載の発明に関わる画像処理装置は、複数の撮影モードから１つの撮影モードを設定可能な設定手段と、前記設定手段を介して設定された撮影モードに応じて前記画像取得手段における撮像条件を設定する撮影条件設定手段と、を備え、前記領域指定手段は、前記設定手段により人物を撮影するための撮影モードが設定された場合に前記調整すべき領域を指定することを特徴とする。
【手続補正１１】
【補正対象書類名】明細書
【補正対象項目名】００１８
【補正方法】変更
【補正の内容】
【００１８】
請求項１２記載の発明に関わる画像処理方法は、画像を取得する画像取得ステップと、前記画像取得ステップにより取得された画像から所定の色領域を検出する色領域検出ステップと、前記色領域検出ステップにより検出された前記色領域の彩度及び明度に基づいて調整すべき領域を指定する領域指定ステップと、前記領域指定ステップにより指定された前記調整すべき領域の画素の色相、彩度及び明度のうち少なくとも１つを調整する色調整ステップとを備える。
【手続補正１２】
【補正対象書類名】明細書
【補正対象項目名】００１９
【補正方法】変更
【補正の内容】
【００１９】
請求項１３記載の発明に関わる画像処理プログラムは、画像を取得する画像取得手段を備えたコンピュータを、前記画像取得手段により取得された画像から所定の色領域を検出する色領域検出手段、前記色領域検出手段により検出された前記色領域の彩度及び明度に基づいて調製すべき領域を指定する領域指定手段、前記領域指定手段により指定された前記調整すべき領域の画素の色相、彩度及び明度のうち少なくとも１つを調整する色調整手段、として機能させる。